(57)【要約】【課題】事前にユーザプロファイル情報を登録することなく、ユーザの識別を行うことを可能とし、ユーザの識別情報をテレビ視聴機能の利便性向上に役立てること。【解決手段】テレビ受信機は、ユーザ識別部と、記憶部と、チャネル切替部を備える。ユーザ識別部によって識別されたユーザの識別情報に対応するチャネル情報を記憶部から取得して、当該取得したチャネル情報が示すチャネルのテレビ映像を表示する。このため、ユーザがチャネル切替操作を行うことなく、ユーザに応じてテレビ放送のチャネルを切り替えることができる。【選択図】図１
2007288577.tif 000002
【特許請求の範囲】
【請求項１】
テレビ映像信号を受信するテレビ受信機であって、
前記テレビ受信機を操作するユーザを識別するユーザ識別部と、
テレビ映像を表示するディスプレイと、
前記ディスプレイに表示するテレビ放送のチャネルを切り替えるチャネル切替部と、
複数のユーザの識別情報とテレビ放送のチャネル情報とをユーザ毎に対応付けて記憶する記憶部と、
前記ユーザ識別部によって識別されたユーザの識別情報に対応するチャネル情報を前記記憶部から取得して、当該取得したチャネル情報が示すチャネルのテレビ映像を前記ディスプレイが表示するよう前記チャネル切替部を制御するチャネル切替制御部と、
を備えたことを特徴とするテレビ受信機。
【請求項２】
請求項１に記載のテレビ受信機であって、
前記ユーザ識別部において、前記記憶部に保持している情報と一致しないユーザと判定した場合、前記記憶部に新規ユーザの識別情報を登録することを特徴とするテレビ受信機。
【請求項３】
請求項１又は２に記載のテレビ受信機であって、
前記ユーザ識別部は、カメラと、前記カメラによって撮像された画像に基づいてユーザを識別する画像処理部と、を有し、
前記複数のユーザの識別情報は、各ユーザの顔情報であることを特徴とするテレビ受信機。
【請求項４】
請求項１又は２又は３に記載のテレビ受信機であって、
前記記憶部に記憶されるチャネル情報は、当該チャネル情報に対応付けられたユーザが視聴中のテレビ放送のチャネル又は当該ユーザが視聴していたテレビ放送のチャネルを示す情報であることを特徴とするテレビ受信機。
【発明の詳細な説明】
【技術分野】
【０００１】
本発明は、ユーザがチャネル切替操作を行うことなく、ユーザに応じてテレビ放送のチャネルを切り替えるテレビ受信機に係る。
【背景技術】
【０００２】
情報家電機器は、高機能化に伴い操作が複雑化する傾向がある。特に、デジタルテレビ受信機においては、従来のアナログ放送と比較して多チャンネル化されることと、アナログ放送のチャンネル番号とは異なるチャネル番号が用いられることで、ユーザが目的のチャンネルを探すことが難しくなると予想される。また、近年実用化されているテレビ機能を搭載した携帯電話や携帯情報端末は外出先での利用が想定されている。このため、他人に見せたり貸したりする機会が多くなる。従って、デジタルテレビ機能が搭載された携帯電話や携帯情報端末を複数ユーザで共有するときに、各ユーザが多くのチャンネルの中から目的のチャンネルを簡単に探せることが使いやすさの向上につながる。
【０００３】
一台のテレビ受信機を複数のユーザで共有する際の使いやすさの向上を目的として、視聴ユーザを識別し、ユーザ毎の操作環境を自動的に設定するテレビ受信機が知られている。
【０００４】
特許文献１には、ユーザのプロファイル情報をあらかじめテレビ受信機に登録することで、煩雑な操作を必要とせずにユーザの設定を切り替える方法が開示されている。図２は、当該テレビ受信機の外観図である。
【０００５】
図２に示された符号２００はテレビ受信機本体であり、符号２０１〜２０４は各ユーザが使用するリモコンである。ユーザがそれぞれ専用のリモコンを使用することで、テレビ受信機２００はユーザの識別を行う。
【０００６】
また、ユーザの識別は必ずしも専用のリモコンに因る必要はなく、テレビ電話機能等のために用意されているカメラ手段を用いてユーザの顔を撮像し、顔画像を認識する手段によってユーザを識別する方法も、具体的な構成は開示されていないが、特許文献１で説明されている。
【０００７】
【特許文献１】特開２００５−１１７１８５号公報
【発明の開示】
【発明が解決しようとする課題】
【０００８】
しかしながら、特許文献１に開示されたテレビ受信機にあっては、テレビ受信機２００にユーザプロファイル情報をあらかじめ登録しておく必要がある。据え置き型のテレビ受信機であれば、視聴するユーザを家族などに限定することは有効であるが、外に持ち出すことのできる携帯端末においては、不特定の相手に見せたり、貸したりする場合があるため、事前に登録することは不可能である。
【０００９】
本発明の目的は、ユーザの識別情報が事前に登録されていなくても、ユーザがチャネル切替操作を行うことなく、ユーザに応じてテレビ放送のチャネルを切り替えるテレビ受信機を提供することである。
【課題を解決するための手段】
【００１０】
本発明は、テレビ映像信号を受信するテレビ受信機であって、前記テレビ受信機を操作するユーザを識別するユーザ識別部と、テレビ映像を表示するディスプレイと、前記ディスプレイに表示するテレビ放送のチャネルを切り替えるチャネル切替部と、複数のユーザの識別情報とテレビ放送のチャネル情報とをユーザ毎に対応付けて記憶する記憶部と、前記ユーザ識別部によって識別されたユーザの識別情報に対応するチャネル情報を前記記憶部から取得して、当該取得したチャネル情報が示すチャネルのテレビ映像を前記ディスプレイが表示するよう前記チャネル切替部を制御するチャネル切替制御部と、を備えたテレビ受信機を提供する。このため、記憶部にユーザの識別情報が事前に登録されていなくても、ユーザがチャネル切替操作を行うことなく、ユーザに応じてテレビ放送のチャネルを切り替えることができる。
【００１１】
上記テレビ受信機では、前記ユーザ識別部において、前記記憶部に保持している情報と一致しないユーザと判定した場合、前記記憶部に新規ユーザの識別情報を登録しても良い。
【００１２】
上記テレビ受信機では、前記ユーザ識別部は、カメラと、前記カメラによって撮像された画像に基づいてユーザを識別する画像処理部と、を有し、前記複数のユーザの識別情報は、各ユーザの顔情報であっても良い。
【００１３】
上記テレビ受信機では、前記記憶部に記憶されるチャネル情報は、当該チャネル情報に対応付けられたユーザが視聴中のテレビ放送のチャネル又は当該ユーザが視聴していたテレビ放送のチャネルを示す情報であっても良い。
【発明の効果】
【００１４】
本発明に係るテレビ受信機によれば、ユーザの識別情報が事前に登録されていなくても、ユーザがチャネル切替操作を行うことなく、ユーザに応じてテレビ放送のチャネルを切り替えることができる。
【発明を実施するための最良の形態】
【００１５】
以下、本発明の実施形態について、図面を参照して説明する。
【００１６】
図１は、本発明に係るテレビ受信機の一実施形態の構成を示すブロック図である。図１に示すテレビ受信機１００は、アンテナ１０１と、受信部１０２と、ディスプレイ１０３と、カメラ１０４と、画像処理部１０５と、記憶部１０６と、チャネル切替制御部１０７と、チャネル切替部１０８とを備える。
【００１７】
アンテナ１０１は、テレビ映像信号を受信する。受信部１０２は、アンテナ１０１で受信したテレビ映像信号を処理する。ディスプレイ１０３は、受信部１０２で処理された映像を表示する。チャネル切替部１０８は、ディスプレイ１０３に表示するテレビ放送のチャネルを切り替える。
【００１８】
カメラ１０４は、テレビ受信機１００を操作するユーザの顔を撮像する。画像処理部１０５は、カメラ１０４によって撮像された画像からテレビ受信機１００を操作するユーザの顔情報を得る。顔情報は、顔画像、又は顔と判断するために必要な目や鼻等の特徴点である。画像処理部１０５は、記憶部１０６を検索して、ユーザの顔情報に対応したユーザ識別情報を得る。
【００１９】
記憶部１０６には、複数のユーザの顔情報とユーザ識別情報とテレビ放送のチャネル情報とをユーザ毎に対応付けて記憶する。なお、記憶部１０６は、ＤＲＡＭ等の揮発メモリ、ＦｌａｓｈＲＯＭ等の不揮発メモリ、又はハードディスクなどの磁気記録装置である。
【００２０】
チャネル切替制御部１０７は、画像処理部１０５で得られたユーザ識別情報に対応するチャネル情報を記憶部１０６から取得して、当該取得したチャネル情報が示すチャネルのテレビ映像をディスプレイ１０３が表示するようチャネル切替部１０８を制御する。
【００２１】
本実施形態では、テレビ放送を視聴する際、顔情報からユーザを識別し、チャンネル切り替えを行う。これはテレビ放送のデジタル化によって多チャンネル化が行われた際に、テレビ視聴サービスの利便性を高めるために有益である。
【００２２】
以下、ユーザＡ及びユーザＢが本実施形態のテレビ受信機１００を交代で使用する際のチャンネル切替について説明する。
【００２３】
チャンネル１のテレビ映像を視聴しているユーザＡが、テレビ受信機１００をユーザＢに渡し、ユーザＢがチャンネル２への切替操作を行った後、再びユーザＡに返却する場合について説明する。テレビ受信機１００がユーザＡに返却される際には、テレビ受信機１００はユーザＢが選択したチャンネル２のテレビ映像を表示しているが、ユーザＡはチャンネル１への切替を望む場合がある。
【００２４】
本実施形態では、ユーザＡがチャンネル１のテレビ映像を視聴している間に、ユーザＡの顔情報とユーザＡの識別情報とチャンネル１を示すチャネル情報を対応付けて記憶部１０６に登録する。この後、ユーザＡが、ユーザＢへテレビ受信機１００を手渡すと、カメラ１０４はユーザＡではなくユーザＢを撮像する。
【００２５】
ユーザＢが撮像された画像を画像処理すると画像処理部１０５はユーザＢの顔情報を得る。このため、画像処理部１０５は、テレビ映像を視聴していえるユーザがユーザＡではないと判定できる。このとき、ユーザＢの顔情報とユーザＢの識別情報を記憶部１０６に新規に登録する。テレビ受信機１００を受け取ったユーザＢは、希望のチャンネル２に切り替える。このとき、チャネル２を示すチャネル情報がユーザＢの顔情報及び識別情報に対応付けて記憶部１０６に登録される。
【００２６】
その後、テレビ受信機１００が再びユーザＡに戻されても、ディスプレイ１０３にはユーザＢが視聴していたチャンネル２のテレビ映像が表示されるが、カメラ１０４はユーザＢではなくユーザＡを撮像する。画像処理部１０５がユーザＡを含む画像を画像処理すると、ユーザＡの顔情報が得られるため、記憶部１０６を検索してユーザＡの識別情報を得ることができる。記憶部１０６にはユーザＡの識別情報とチャンネル１は対応付けられて記憶されているため、チャネル切替制御部１０７はチャンネル１に切り替えるようチャネル切替部１０８を制御する。
【００２７】
なお、チャネルの切替は、自動であっても、ユーザによる操作が行われたことを条件に行われても良い。ユーザによる操作とは、例えば、特定のキー押下である。いずれの方法を採用するかは、ユーザの設定による。
【００２８】
以上説明したように、本実施形態のテレビ受信機１００によれば、例えば、ユーザＡがニュース番組を視聴している最中にユーザＢにテレビ受信機１００を渡したためチャネルが変えられても、ユーザＢからテレビ受信機１００を返されたユーザＡはチャネル切替操作を行うことなく、ニュース番組を視聴することができる。この場合、ニュース番組がどのチャネルで放送されていたかをユーザＡは覚えておく必要がない。
【００２９】
また、ユーザＡがニュース番組を探すためにチャンネルを順番に変えていったとしても、コマーシャル放送中の時などには目的のチャンネルが分からなくなってしまうおそれがある。しかし、本実施形態によるテレビ受信機１００によれば、ユーザＡはすぐにニュース番組を視聴することができる。
【００３０】
以上説明した実施形態のテレビ受信機１００は、カメラを用いてユーザの顔情報よりユーザの識別情報を取得しているが、これに限らない。例えば、顔情報代わりに網膜情報や指紋情報であっても良い。
【図面の簡単な説明】
【００３１】
【図１】本発明に係るテレビ受信機の一実施形態の構成を示すブロック図
【図２】特開２００５−１１７１８５号公報に示されたテレビ受信機の外観図
【符号の説明】
【００３２】
１００  テレビ受信機
１０１  アンテナ
１０２  受信部
１０３  ディスプレイ
１０４  カメラ
１０５  画像処理部
１０６  記憶部
１０７  チャネル切替制御部
１０８  チャネル切替部
【図１】
2007288577.tif 000003
【図２】
2007288577.tif 000004